(57)【要約】【課題】本発明は、耐火性、断熱性、遮音性に優れ、建物の外壁や内装のデザインに合わせて容易に表面のデザイン加工が出来る枠付きＡＬＣ扉を提供することを可能にすることを目的としている。【解決手段】背面板２と枠板３とを有する扉枠体４の内部にＡＬＣパネル５を収容してボルト６及びナット７により固定し、枠板３とＡＬＣパネル５の小口面との隙間をシーリング部材９によりシールして構成したことを特徴とする。【選択図】　　　図１
2004060169.tif 000002
【特許請求の範囲】
【請求項１】
背面板と、該背面板の周端辺から起立して設けられた枠板とを有する扉枠体と、
前記扉枠体の内部に収容されるＡＬＣパネルと、
前記ＡＬＣパネルを前記扉枠体の内部に収容した状態で、該ＡＬＣパネルと扉枠体とを固定する固定手段と、
を有し、
前記扉枠体の枠板と、前記ＡＬＣパネルの小口面との隙間がシーリング部材によりシールされたことを特徴とする枠付きＡＬＣ扉。
【請求項２】
前記扉枠体の枠板と、前記ＡＬＣパネルの小口面との隙間にスペーサを介在させたことを特徴とする請求項１に記載の枠付きＡＬＣ扉。
【発明の詳細な説明】
【０００１】
【発明の属する技術分野】
本発明は、ＡＬＣ（軽量気泡コンクリート）パネルを用いた枠付きＡＬＣ扉に関するものである。
【０００２】
【従来の技術】
従来、ガス、電気、上下水道等のメーターやバルブ、或いはスイッチ等の点検ボックス用扉等は鋼製扉等により構成されたものが一般であった。
【０００３】
【発明が解決しようとする課題】
しかしながら、前述の従来例では、耐火性、断熱性、遮音性が劣るという問題があり、建物の外壁や内装のデザインとは馴染まない場合が多く、デザイン性が劣るという問題があった。
【０００４】
本発明は前記課題を解決するものであり、その目的とするところは、耐火性、断熱性、遮音性に優れ、建物の外壁や内装のデザインに合わせて容易に表面のデザイン加工が出来る枠付きＡＬＣ扉を提供せんとするものである。
【０００５】
【課題を解決するための手段】
前記目的を達成するための本発明に係る枠付きＡＬＣ扉は、背面板と該背面板の周端辺から起立して設けられた枠板とを有する扉枠体と、前記扉枠体の内部に収容されるＡＬＣパネルと、前記ＡＬＣパネルを前記扉枠体の内部に収容した状態で、該ＡＬＣパネルと扉枠体とを固定する固定手段とを有し、前記扉枠体の枠板と、前記ＡＬＣパネルの小口面との隙間がシーリング部材によりシールされたことを特徴とする。
【０００６】
本発明は、上述の如く構成したので、ＡＬＣパネルを扉枠体の内部に収容した状態で固定手段により該ＡＬＣパネルと扉枠体とを固定することが出来る。ＡＬＣパネルを枠付きＡＬＣ扉の表面側とし、該ＡＬＣパネルの表面に建物の外壁や内装のデザインに合わせたデザイン加工を施すことが出来る。
【０００７】
また、ＡＬＣパネルが有する特性により耐火性、断熱性、遮音性に優れた枠付きＡＬＣ扉とすることが出来る。
【０００８】
固定手段としては、ＡＬＣパネル及び扉枠体の背面板を貫通するボルトと、該ボルトに螺合締着されるナットにより構成することが出来る。
【０００９】
また、扉枠体の枠板と、ＡＬＣパネルの小口面との隙間がシーリング部材によりシールされたことで雨水等に対する防水性能が確保出来る。
【００１０】
また、前記扉枠体の枠板と、前記ＡＬＣパネルの小口面との隙間にスペーサを介在させた場合には、シーリング部材及び該シーリング部材をバックアップするバックアップ部材の充填スペースを容易に確保することが出来る。
【００１１】
【発明の実施の形態】
図により本発明に係る枠付きＡＬＣ扉の一実施形態を具体的に説明する。図１は本発明に係る枠付きＡＬＣ扉の構成を示す図、図２は本発明に係る枠付きＡＬＣ扉の分解斜視図である。
【００１２】
図１において、１は本発明に係る枠付きＡＬＣ扉であり、ガス、電気、上下水道等のメーターやバルブ、或いはスイッチ等の点検ボックス用扉として採用することが出来る他、建物の出入り用の扉や保冷庫用扉、更には防音扉や防火扉等、種々の扉にも適用可能である。
【００１３】
本実施形態の枠付きＡＬＣ扉１は、鋼板からなる方形状の背面板２と、該背面板２の周端辺となる４辺から起立して設けられた同じく鋼板からなる方形状の枠板３とを有する扉枠体４の内部にＡＬＣ（軽量気泡コンクリート）パネル５が収容されて、固定手段となるボルト６及びナット７により固定されている。
【００１４】
扉枠体４の枠板３の一辺には、建物に設けられた図示しない扉取付枠に係合するヒンジ部材８が溶接やボルト止め等により固定されている。また、背面板２及びＡＬＣパネル５の所定位置にはボルト６を挿通するための貫通孔２ａ，５ａが形成されている。
【００１５】
図２に示すように、扉枠体４の背面板２の所定位置には枠付きＡＬＣ扉１の取手を兼ねる施錠部材１２が固定されており、この施錠部材１２に対応する位置でＡＬＣパネル５には該施錠部材１２を嵌装するための貫通穴５ｂが形成されている。
【００１６】
扉枠体４は１枚の鋼板をプレス成型等により背面板２に対して枠板３を起立させた構成とすることが出来るが、背面板２に枠板３を溶接等により固定しても良い。
【００１７】
図１に示すように、枠付きＡＬＣ扉１の下部となる扉枠体４の下部枠板３ａと、ＡＬＣパネル５の下部小口面との隙間には、該ＡＬＣパネル５の重量を支えると共に、シーリング部材９及び該シーリング部材９をバックアップするバックアップ部材１０の充填スペースを確保するためのスペーサ１１が設置される。尚、スペーサ１１は枠付きＡＬＣ扉１の周囲４辺の扉枠体４の枠板３と、ＡＬＣパネル５の周囲４辺の小口面との隙間に設置しても良い。
【００１８】
枠付きＡＬＣ扉１を組み立てる場合には、図２に示すように、スペーサ１１を下部枠板３ａとＡＬＣパネル５の下部小口面との間に介在させ、ＡＬＣパネル５に形成した貫通穴５ｂを扉枠体４の背面板２に設けられた施錠部材１２に嵌装して扉枠体４の内部にＡＬＣパネル５を収容し、該ＡＬＣパネル５の４辺の小口面と、扉枠体４の４辺の枠板３との隙間にバックアップ部材１０を挿入する。バックアップ部材１０はシーリング部材９を後方から支持するための部材である。
【００１９】
そして、ボルト６をＡＬＣパネル５の表面側から該ＡＬＣパネル５の貫通孔５ａ及び扉枠体４の背面板２の貫通孔２ａに挿通し、背面板２側からナット７を螺合締着した後、バックアップ部材１０の表面側で、扉枠体４の枠板３と、ＡＬＣパネル５の小口面との隙間にシーリング部材９を充填して扉枠体４とＡＬＣパネル５とがシールされる。
【００２０】
尚、シーリング部材９は、扉枠体４の枠板３と、ＡＬＣパネル５の小口面との間で２面接着でも良いし、更にバックアップ部材１０との間で３面接着でも良い。ＡＬＣパネル５の小口面との間で２面接着した場合には、地震等の揺れに対してもシーリング部材９が追従してシール性能が劣化することがない。
【００２１】
上記構成によれば、ＡＬＣパネル５を扉枠体４の内部に収容した状態で固定手段となるボルト６やナット７により該ＡＬＣパネル５と扉枠体４とを固定することが出来る。ＡＬＣパネル５を枠付きＡＬＣ扉１の表面側とし、該ＡＬＣパネル５の表面に建物の外壁や内装のデザインに合わせたデザイン加工を施すことが出来る。
【００２２】
また、ＡＬＣパネル５が有する特性により耐火性、断熱性、遮音性に優れた枠付きＡＬＣ扉１とすることが出来る。
【００２３】
また、扉枠体４の枠板３と、ＡＬＣパネル５の小口面との隙間がシーリング部材９によりシールされたことで雨水等に対する防水性能が確保出来る。
【００２４】
また、扉枠体４の枠板３と、ＡＬＣパネル５の小口面との隙間にスペーサ１１を介在させた場合には、シーリング部材９及び該シーリング部材９をバックアップするバックアップ部材１０の充填スペースを容易に確保することが出来る。
【００２５】
尚、本実施形態では、方形状の枠付きＡＬＣ扉１の一例について説明したが、他の多角形状や円形状、或いは楕円形状等の種々の形状に対応して扉枠体４とＡＬＣパネル５を加工して所望の形状の枠付きＡＬＣ扉１を構成することも出来る。
【００２６】
【発明の効果】
本発明は、上述の如き構成と作用とを有するので、ＡＬＣパネルを扉枠体の内部に収容した状態で固定手段により該ＡＬＣパネルと扉枠体とを固定することが出来る。ＡＬＣパネルを枠付きＡＬＣ扉の表面側とし、該ＡＬＣパネルの表面に建物の外壁や内装のデザインに合わせたデザイン加工を施すことが出来る。
【００２７】
また、ＡＬＣパネルが有する特性により耐火性、断熱性、遮音性に優れた枠付きＡＬＣ扉とすることが出来る。
【００２８】
また、扉枠体の枠板と、ＡＬＣパネルの小口面との隙間がシーリング部材によりシールされたことで雨水等に対する防水性能が確保出来る。
【００２９】
また、扉枠体の枠板と、ＡＬＣパネルの小口面との隙間にスペーサを介在させた場合には、シーリング部材及び該シーリング部材をバックアップするバックアップ部材の充填スペースを容易に確保することが出来る。
【図面の簡単な説明】
【図１】本発明に係る枠付きＡＬＣ扉の構成を示す図である。
【図２】本発明に係る枠付きＡＬＣ扉の分解斜視図である。
【符号の説明】
１…枠付きＡＬＣ扉
２…背面板
２ａ…貫通孔
３…枠板
３ａ…下部枠板
４…扉枠体
５…ＡＬＣパネル
５ａ…貫通孔
５ｂ…貫通穴
６…ボルト
７…ナット
８…ヒンジ部材
９…シーリング部材
１０…バックアップ部材
１１…スペーサ
１２…施錠部材
【図１】
2004060169.tif 000003
【図２】
2004060169.tif 000004